(57)【要約】【課題】  ゴミを出す際の分別方法及び、ゴミの種類に応じた収集日に関する情報等、ゴミの分別収集情報をいつでも簡単に得ることができ、しかも、該情報を広く一般に知らしめることが可能な、二次元コード付き袋を提供する。【解決手段】  この二次元コード付き袋１は、ゴミ袋として利用可能な袋２であって、カメラ付き携帯電話１０のカメラ１１で読み取り可能な二次元コード３が袋２の表面に付されており、二次元コード３には、ゴミを出す際の分別方法及びゴミの種類に応じた収集日に関する情報を、少なくとも取得可能な情報が含まれている。そのため、カメラ付き携帯電話１０のカメラ１１で二次元コード３を読み取るだけで、ゴミ分別収集情報をいつでも簡単に取得できる。また、二次元コード３を、携帯電話１０のカメラ１１で読み取るようにしたので、前記情報を多くの人に知らしめることも可能となる。【選択図】  図１
2006225095.tif 000002
【特許請求の範囲】
【請求項１】
ゴミ袋として利用可能な袋であって、カメラ付き携帯電話のカメラで読み取り可能な二次元コードが該袋の表面に付されており、前記二次元コードには、ゴミを出す際の分別方法及びゴミの種類に応じた収集日に関する情報を、少なくとも取得可能な情報が含まれていることを特徴とする二次元コード付き袋。
【請求項２】
前記二次元コードに含まれる情報は、前記カメラ付き携帯電話のカメラで読み取った際に、該カメラ付き携帯携帯電話の表示パネルに、前記ゴミを出す際の分別方法及びゴミの種類に応じた収集日に関する情報を直接表示させる情報からなる請求項１記載の二次元コード付き袋。
【請求項３】
前記二次元コードに含まれる情報は、前記カメラ付き携帯電話のカメラで読み取った際に、該カメラ付き携帯電話の表示パネルに、前記ゴミを出す際の分別方法及びゴミの種類に応じた収集日に関する情報を取得可能なホームページをアクセス可能に表示させる情報からなる請求項１記載の二次元コード付き袋。
【請求項４】
前記ホームページには、ゴミを出す際の分別方法の項目及びゴミの種類に応じた収集日の項目が表示され、
前記ゴミを出す際の分別方法の項目を選択して決定すると、前記ゴミを出す際の分別方法に関する情報が表示され、
前記ゴミの種類に応じた収集日の項目を選択して決定すると、居住所入力欄が表示され、該居住所入力欄に居住所を入力することにより、前記ゴミの種類に応じた収集日が表示される請求項３記載の二次元コード付き袋。
【請求項５】
前記二次元コードには、更に、選挙日案内、災害情報案内、非難場所案内、夜間診療案内、ＴＶ番組案内から選ばれた少なくとも一つを取得可能な情報が含まれている請求項１〜４のいずれか１つに記載の二次元コード付き袋。
【請求項６】
前記二次元コードは、異なる情報を含む複数個のもので構成されている請求項１〜５のいずれか１つに記載の二次元コード付き袋。
【請求項７】
前記二次元コードは、ＱＲコード（登録商標）である請求項１〜６のいずれか１つに記載の二次元コード付き袋。
【請求項８】
前記二次元コード付き袋の少なくとも前記二次元バーコードが付された部分が、白又は乳白色の背景色をなし、そこに前記二次元コードが暗黒色で表示されている請求項１〜７のいずれか１つに記載の二次元コード付き袋。
【発明の詳細な説明】
【技術分野】
【０００１】
本発明は、ゴミの分別方法やゴミの種類に応じた収集日等の、ゴミの分別収集に関する情報を、簡単に取得できる二次元コード付き袋に関する。
【背景技術】
【０００２】
近年、リサイクル意識の高まりや、廃棄量の増大等によって、ゴミは分別して収集されるようになっている。ゴミの分別収集は、収集する各市町村によって異なるが、可燃ゴミ、不燃ゴミ、資源ゴミ、粗大ゴミ等、ゴミの種類や大きさに応じて、分別方法や収集する日が異なっていることが多い。例えば、スプレー缶は穴を開けておき、ペットボトルは、内部を水ですすいで潰し、更にラベルやキャップは取り外しておく、といった細かい指定がなされている。
【０００３】
上記のようなゴミの分別方法や収集日等の情報は、例えば、市役所等に直接電話で問い合わせるか、或いは、各家庭等に配布された配布物等によって得られる。しかしながら、電話の場合は、窓口の受付時間に問い合わせなければならず、また、配布物の場合は、スペース上の都合から情報量は限られているため、捨てようとするゴミに関する情報が記載されていないこともあり、いつでも正確な情報を得られるとは限らなかった。
【０００４】
下記特許文献１には、ゴミの分別区分を特定する分別情報が、製品毎に記憶されているデータベースと、各市町村のごみ分別回収方法に対応して設定され、前記分別情報に基づいて、問いわせのあった製品がどの分別区分に該当するかを判定する複数のフィルタリング部と、を備えたゴミ分別支援システムが開示されている。その実施形態には、前記フィルタリング部はインターネットに接続し、該インターネットはユーザ端末に接続していることが記載されている。このゴミ分別支援システムによれば、ゴミを捨てる人自身が、ユーザ端末を操作することにより、ゴミの分別区分の情報を取得可能となっている。
【０００５】
ところで、従来、ゴミはいわゆるゴミ袋に入れ捨てることが一般的である。また、近年、コンビニエンスストアや、スーパーマーケット等の商品を入れるいわゆるレジ袋も、商品を取出した後に、ゴミ袋の代わりとして用いられていることが多くなっている。このようなゴミ袋、レジ袋には、可燃ゴミ用、不燃ゴミ用等といったゴミの種類を区別するための文字を付したり、或いは、「資源を大切に」、「使用後はクズカゴに」等といった啓発、啓蒙的な情報を付したりすることがなされている。例えば、下記特許文献２には、商品情報を掲載した商品持ち帰り容器が開示されている。
【特許文献１】特開２００２−６３３１８号公報
【特許文献２】特開２００１−３１２２３９号公報
【発明の開示】
【発明が解決しようとする課題】
【０００６】
上記特許文献１のゴミ分別支援システムによれば、市役所の窓口等に問い合わせをしなくとも、ゴミの分別情報を得ることができる。しかしながら、ゴミを捨てる人自身の手によって、ユーザ端末を操作しなければならないので、煩雑な作業を伴い面倒であり、簡単にゴミの分別情報を取得することはできない。
【０００７】
また、上記特許文献２の商品持ち帰り容器のように、容器表面に、ゴミの分別収集に関する情報を付した場合は、その情報を得ることができる。しかしながら、容器の表面上はスペースに限りがあるので、十分な情報を提供することは難しい。仮に、容器が大きくスペースに余裕があるような場合でも、ゴミの分別収集に関する情報は、面白みのある内容ではないので見落とされやすく、その情報を広く一般に知らしめることには問題がある。
【０００８】
したがって、本発明の目的は、ゴミを出す際の分別方法及び、ゴミの種類に応じた収集日に関する情報等、ゴミの分別収集情報をいつでも簡単に得ることができ、しかも、該情報を広く一般に知らしめることが可能な、二次元コード付き袋を提供することにある。
【課題を解決するための手段】
【０００９】
上記目的を達成するため、本発明の二次元コード付き袋は、ゴミ袋として利用可能な袋であって、カメラ付き携帯電話のカメラで読み取り可能な二次元コードが該袋の表面に付されており、前記二次元コードには、ゴミを出す際の分別方法及びゴミの種類に応じた収集日に関する情報を、少なくとも取得可能な情報が含まれていることを特徴とする。
【００１０】
本発明によれば、カメラ付き携帯電話のカメラで読み取り可能な二次元コードが袋表面に付され、この二次元コードには、ゴミを出す際の分別方法及びゴミの種類に応じた収集日に関する情報（以下、２つの情報を併せて、ゴミ分別収集情報ともいう）が含まれているので、カメラ付き携帯電話のカメラでもって、二次元コードを読み取るだけで、ゴミ分別収集情報を、いつでも簡単に取得することができる。
【００１１】
また、ゴミ分別収集情報は、通常のバーコードよりも情報量の多い二次元コードに含まれ、しかも、この二次元コードを、近年、普及率が飛躍的に増加し、一般に広く所有されているカメラ付き携帯電話のカメラで読み取るようにしたので、詳細かつ正確なゴミ分別収集情報を、多くの人に知らしめることができる。また、カメラ付き携帯電話は、若年層の所有率が特に高いので、若年層に対するゴミ分別収集情報の啓発、啓蒙効果を期待できる。
【００１２】
更に、本発明の二次元コード付き袋は、上記情報を取得した後、そのままゴミ袋として利用できるので、ゴミを捨てる人にとっての利便性が向上すると共に、更なるゴミの分別収集を促進可能となる。
【００１３】
本発明においては、前記二次元コードに含まれる情報は、前記カメラ付き携帯電話のカメラで読み取った際に、該カメラ付き携帯電話の表示パネルに、前記ゴミを出す際の分別方法及びゴミの種類に応じた収集日に関する情報を直接表示させる情報からなることが好ましい。これによれば、カメラ付き携帯電話のカメラで読み取ると、その表示パネルにゴミ分別収集情報が直接表示されるので、ゴミ分別収集情報を迅速に取得することができ、緊急の場合等における利便性が向上する。
【００１４】
本発明においては、前記二次元コードに含まれる情報は、前記カメラ付き携帯電話のカメラで読み取った際に、該カメラ付き携帯電話の表示パネルに、前記ゴミを出す際の分別方法及びゴミの種類に応じた収集日に関する情報を取得可能なホームページをアクセス可能に表示させる情報からなることが好ましい。これによれば、カメラ付き携帯電話のカメラで読み取ると、その表示パネルにゴミ分別収集情報が掲載されているホームページのＵＲＬ等の情報が表示されるので、このＵＲＬ等にアクセスすることによって、前記ホームページを閲覧でき、ゴミ分別収集情報について、より詳細に、かつ多くの情報を得ることができる。
【００１５】
本発明においては、前記ホームページには、ゴミを出す際の分別方法の項目及びゴミの種類に応じた収集日の項目が表示され、前記ゴミを出す際の分別方法の項目を選択して決定すると、前記ゴミを出す際の分別方法に関する情報が表示され、前記ゴミの種類に応じた収集日の項目を選択して決定すると、居住所入力欄が表示され、該居住所入力欄に居住所を入力することにより、前記ゴミの種類に応じた収集日が表示されることが好ましい。これによれば、ホームページに表示された項目を順番に選択していくだけで、ホームページ上を探さなくとも、所望の情報を効率よくかつ簡単に取得することができる。
【００１６】
本発明においては、前記二次元コードには、更に、選挙日案内、災害情報案内、非難場所案内、夜間診療案内、ＴＶ番組案内から選ばれた少なくとも一つを取得可能な情報が含まれていることが好ましい。これによれば、ゴミ分別収集情報のみならず、上記の情報のような付加情報を得ることができるので、二次元コード付き袋の付加価値を高めることができる。
【００１７】
本発明においては、前記二次元コードは、異なる情報を含む複数個のもので構成されていることが好ましい。これによれば、より多くの情報を得ることができるので、利便性、娯楽性に富む二次元コード付き袋が得られる。
【００１８】
本発明においては、前記二次元コードは、ＱＲコード（登録商標）であることが好ましい。これによれば、二次元コードを、汚れ、破損に強く、情報を復元可能なＱＲコードとしたので、ゴミ分別収集情報等の情報を確実に取得することができる。
【００１９】
本発明においては、前記二次元コード付き袋の少なくとも前記二次元コードが付された部分が、白又は乳白色の背景色をなし、そこに前記二次元コードが暗黒色で表示されていることが好ましい。これによれば、二次元コード付き袋の二次元コードが付された部分と、二次元コードとの明暗の差がはっきりとなるので、二次元コードを読み取りやすくなり、ゴミ分別収集情報等の情報をより取得し易くなる。
【発明の効果】
【００２０】
本発明の二次元コード付き袋によれば、カメラ付き携帯電話のカメラで読み取り可能な二次元コードが袋表面に付され、この二次元コードには、ゴミ分別収集情報が含まれているので、カメラ付き携帯電話のカメラで二次元コードを読み取るだけで、ゴミ分別収集情報をいつでも簡単に取得できる。また、ゴミ分別収集情報は、情報量が多い二次元コードに含まれ、かつ、この二次元コードは、一般に広く所有されているカメラ付き携帯電話のカメラで読み取るようにしたので、詳細かつ正確な前記情報を多くの人に知らしめることができ、更に、二次元コード付き袋は、そのままゴミ袋として利用できるので利便性が向上する。
【発明を実施するための最良の形態】
【００２１】
以下、図面を参照して、本発明の二次元コード付き袋の一実施形態について説明する。
【００２２】
この二次元バーコード付き袋１は、図１に示すように、上方が開口した袋２と、この袋２の下方のほぼ中央の表面に付された、カメラ付き携帯電話１０のカメラ１１で読み取り可能な情報を収容する二次元コード３とからなる。
【００２３】
まず、二次元コード３について説明する。この二次元コード（二次元バーコードともいう）とは、従来のバーコードが抱えていた、情報量が少ない、激しい傷及び汚れがあると読み取れない等といった問題を解消した情報収納手段であり、情報量が大きく、傷や汚れがあっても読み取り可能である等といった特徴を有する。
【００２４】
この二次元コードとしては、例えば、ＱＲコード（登録商標：株式会社デンソーウェーブ）、ＰＤＦ４１７（シンボルテクノロジー社）、ＤＡＴＡ  ＭＡＴＲＩＸ（登録商標：インターナショナル・データ・メイトリックス・インク）等が挙げられ、本実施形態においては、ＱＲコードを採用している。なお、ＱＲコードについては、日本規格協会発行のＪＩＳ  Ｘ  ０５１０を参照することができる。
【００２５】
そして、上記二次元コード３には、ゴミを出す際の分別方法に関する情報、及び、ゴミの種類に応じた収集日に関する情報（２つの情報を併せ、ゴミ分別収集情報という）が、少なくとも取得可能な情報が、収納されている。この情報には、前記ゴミ分別収集情報の他にも、選挙日案内、災害情報案内、非難場所案内、夜間診療案内、ＴＶ番組案内等の情報を収納させておいてもよい。
【００２６】
上記二次元コード３が付される袋２は、ポリエチレン（ＰＥ）、ポリプロピレン（ＰＰ）等の合成樹脂フィルム、若しくは、紙等によって形成されている。例えば、ゴミ収集用のゴミ袋や、コンビニエンスストア、スーパーマーケット等で用いられるいわゆるレジ袋等が該当するが、ゴミ袋として利用可能であれば、その材質、形状は特に限定されない。
【００２７】
そして、二次元コード３は、袋２の表面に直接印刷されるか、或いは、シールラベル等を介して、袋２の表面に付される。すなわち、シールラベル等の表面に二次元コードを印刷しておき、裏面の接着層によって、袋１の表面に貼り付けるものである。こうして、二次元コード付き袋１が形成される。
【００２８】
なお、二次元コード３は、袋２の大きさによって異なるが、例えば、縦６０〜８０ｃｍ、横４０〜６５ｃｍ程度の大きさの袋の場合、袋２の下方の端縁から２５〜３５ｃｍ、左右の端縁から２８〜３８ｃｍ程度、離した位置に付すことが好ましい。こうすると、袋２のしわや汚れに影響されにくくなるので、後述するカメラ付き携帯電話１０のカメラ１１で読み取る際に、二次元コード３の読み取り時の精度が向上する。なお、二次元コード３を付す位置は、上記の位置に限定されるものではない。
【００２９】
また、異なる情報（例えば、ゴミ分別収集情報と、災害情報案内等）を含む二次元コード３を、複数個、袋１に付しておいてもよい。
【００３０】
二次元コード３に収納された情報の読み取りには、カメラ付き携帯電話１０のカメラ１１が用いられる。カメラ付き携帯電話１０については周知であるので、その詳しい説明は省略するが、少なくとも、カメラ１１と、該カメラ１１が認識した画像や文字情報等を表示可能な表示パネルと、前記カメラ１１で認識した二次元コード３に収容された情報を読み取って、この情報を文字情報に変換し、更にこの文字情報を前記表示パネル１２に伝達する読取伝達手段とが必要である。
【００３１】
そして、カメラ付き携帯電話１０のカメラ１１で二次元コード３を読み取ると、ゴミ分別収集情報が取得可能となっている。この実施形態の場合、カメラ１１で二次元コード３を読み取ると表示パネル１２には、ゴミ分別収集情報が直接表示されるか、或いは、ゴミ分別収集情報を取得可能なホームページをアクセス可能に取得させる情報が、表示されるようになっている。前記ホームページをアクセス可能に取得させる情報とは、例えば、ゴミ分別収集情報が掲載されている市町村や、収集業者等のホームページのＵＲＬ情報である。
【００３２】
上記ホームページには、少なくとも、ゴミを出す際の分別方法に関する情報と、ゴミの種類に応じた収集日に関する情報とが掲載されていることが必要であるが、その情報をどのように取得するかについては、様々な態様が挙げられる。その態様の一例を下記に挙げる。
【００３３】
例えば、ホームページをアクセスすると、そのホームページ上に、直接、上記の情報が表示されるのではなく、まず、ゴミを出す際の分別方法の項目と、ゴミの種類に応じた収集日の項目とが表示されるようにしておく。
【００３４】
そして、ゴミを出す際の分別方法の項目を選択して決定すると、ゴミを出す際の分別方法に関する情報が表示される。
【００３５】
一方、ゴミの種類に応じた収集日の項目を選択して決定した場合は、まず、居住所入力欄が表示される。この居住所入力欄に、例えば、ゴミを捨てたい人自身の居住所を入力すると、その人の居住所に応じた市町村における、ゴミの種類に応じた収集日が表示されるようになる。
【００３６】
また、ゴミを出す際の分別方法に関する情報を得るための、別の態様としては、ホームページをアクセスすると、そのホームページ上に、可燃ゴミの欄、不燃ゴミの欄、資源ゴミの欄、粗大ゴミの欄のように、ゴミの種類によって区分けされた一覧表が、表示されるようにしておき、区分けした各欄に、それぞれのゴミが、どのようなものであるかを表示しておいてもよい。例えば、可燃ゴミの欄には、生ゴミ、木くず、ゴム製品等の品目を表示し、資源ゴミの欄には、缶、瓶、ペットボトル等の品目を表示する。
【００３７】
或いは、検索しやすいように、捨てたいゴミの名前を五十音受順に配置した一覧表を表示させ、ゴミの名前を選択して決定することによって、そのゴミがどのような種類であって、どのように処理すればよいか、等といった情報が表示されるようにしておいてもよい。
【００３８】
更には、より検索しやすいように、ホームページ上に、入力した文字に関連する結果が出力されるような検索手段（検索エンジン）を搭載しておき、捨てたいゴミの名前を入力して、そのゴミの分類や、処理方法等といった情報が表示されるようにしておいてもよい。
【００３９】
一方、ゴミの種類に応じた収集日に関する情報を得るための、別の態様としては、ホームページをアクセスすると、そのホームページ上に、各住所の項目が列記された一覧表が表示されるようにしておき、該住所の項目を選択し決定すると、その住所に応じて、ゴミの種類に応じた収集日に関する情報が表示されるようにしてもよい。なお、初めに大まかな地域（例えば、○○○県）の項目を表示しておき、該地域の項目を選択して決定すると、市町村単位の地域の項目が表示されるようにしておいてもよく、更に細かな地域が表示されるような多層の表示構造をなしていてもよい。
【００４０】
次に、本発明の二次元コード付き袋１の使用方法、及び、その作用効果について、図１〜３を参照して説明する。
【００４１】
まず、カメラ付き携帯電話１０を、二次元コード３を読み取り可能な状態にし、その表示パネル１２内に、二次元コード３を表示させる。そして、カメラ付き携帯電話１０で二次元コード３を撮影すると、カメラ付き携帯電話１０の読取伝達手段が、二次元コード３に収容された情報を読み取る（Ｓ１）。読み取られた情報は、ゴミ分別収集情報として、カメラ付き携帯電話１０の表示パネル１２に直接表示されるか、或いは、ゴミ分別収集情報が掲載されているホームページのＵＲＬが表示される（Ｓ２）。
【００４２】
表示パネル１２に、ゴミ分別収集情報が表示された場合は、その情報をそのまま取得可能となる（Ｓ３）。一方、ホームページのＵＲＬが表示された場合には、該ＵＲＬにアクセスする（Ｓ４）ことにより、ゴミ分別収集情報が取得できる（Ｓ３）。
【００４３】
上術の場合は、ホームページのＵＲＬにアクセスすることにより、ゴミ分別収集情報が直接得られるようになっているが、図３に示す手順によって、ゴミ分別収集情報が取得可能となっていてもよい。
【００４４】
すなわち、表示パネル１２にホームページのＵＲＬが表示された後（Ｓ１０）、このＵＲＬにアクセスする（Ｓ１１）と、ゴミを出す際の分別方法の項目か、又は、ゴミの種類に応じた収集日の項目が表示される（Ｓ１２）。
【００４５】
ゴミを出す際の分別方法の項目を選択して決定すると、ゴミを出す際の分別収集情報が得られる（Ｓ１３）。
【００４６】
一方、ゴミの種類に応じた収集日の項目を選択して決定すると、居住所入力欄が表示されるので、前記情報を得たい地域の住所を入力する（Ｓ１４）。すると、入力された住所における、ゴミの種類に応じた収集日を取得することができる（Ｓ１５）。
【００４７】
このように、本発明の二次元コード付き袋１によれば、カメラ付き携帯電話１０のカメラ１１でもって、二次元コード３を読み取るだけで、ゴミ分別収集情報を、いつでも簡単に取得することができる。
【００４８】
また、ゴミ分別収集情報は、通常のバーコードよりも情報量の多い二次元コード３に含まれ、しかも、この二次元コード３を、近年、普及率が飛躍的に増加し、一般に広く所有されているカメラ付き携帯電話１０のカメラ１１で読み取るようにしたので、詳細かつ正確な前記情報を、多くの人に知らしめることができる。また、カメラ付き携帯電話１０は、若年層の所有率が特に高いので、若年層に対するゴミ分別収集情報の啓発、啓蒙効果を期待できる。
【００４９】
更に、本発明の二次元コード付き袋１は、上記情報を取得した後、そのままゴミ袋として利用できるので、ゴミを捨てる側にとっての利便性が向上すると共に、更なるゴミの分別収集を促進可能となる。
【００５０】
また、上記実施形態の場合、二次元コード３に含まれる情報は、カメラ付き携帯電話１０のカメラ１１で読み取った際に、カメラ付き携帯電話１０の表示パネル１２に、ゴミ分別収集情報を直接表示させる情報か、若しくは、ゴミ分別収集情報を取得可能なホームページをアクセス可能に表示させる情報からなる。前者の場合は、ゴミ分別収集情報を迅速に取得することができ、緊急の場合等における利便性が向上する。後者の場合は、ゴミ分別収集情報が掲載されたホームページを閲覧することができるので、ゴミ分別収集情報について、より詳細に、かつ多くの情報を得ることができる。なお、ホームページに、ゴミを出す際の分別方法の項目及びゴミの種類に応じた収集日の項目が表示させるようにした場合には、ホームページに表示された項目を順番に選択していくだけで、ホームページ上を探さなくとも、所望の情報を効率よくかつ簡単に取得することができる。
【００５１】
更に、上記実施形態の場合、二次元コード３は、ＱＲコード（登録商標）であるので、汚れ、破損に強く、情報を復元可能であるので、ゴミ分別収集情報等の情報を確実に取得することができる。
【００５２】
また、二次元コード３に、選挙日案内、災害情報案内、非難場所案内、夜間診療案内、ＴＶ番組案内等の情報が含まれている場合には、付加情報を得ることができるので、二次元コード付き袋の付加価値を高めることができる。
【００５３】
更に、異なる情報を含む二次元コード３を、複数個、袋１に付した場合には、より多くの情報を得ることができるので、利便性、娯楽性に富む二次元コード付き袋が得られる。
【００５４】
図４には、本発明の二次元コード付き袋１の他の実施形態１ａが示されている。なお、前記実施形態と実質的に同一部分には同符号を付してその説明を省略することにする。
【００５５】
この二次元コード付き袋１ａは、袋２の少なくとも二次元コード３が付された部分が、白又は乳白色の背景色をなした背景部４であり、この背景部４上に二次元コード３が暗黒色で表示されている。この場合、二次元コード３は、背景部４よりも暗い色調であればよく、その色合いは特に限定されるものではない。なお、この実施形態の場合は、黒色で二次元コード３が付されている。
【００５６】
この実施形態によれば、二次元コード付き袋２の二次元コードが付された背景部４と、二次元コード３との明暗の差がはっきりとなるので、二次元コード３を読み取りやすくなり、ゴミ分別収集情報等の情報をより取得し易くなる。なお、背景部４上に二次元コード３を付さず、その裏面に付した場合でも、二次元コード３が識別可能であればよく、限定されるものではない。
【産業上の利用可能性】
【００５７】
本発明は、ゴミの分別方法やゴミの種類に応じた収集日等の、ゴミの分別収集に関する情報を、簡単に取得できる二次元コード付き袋として利用することができる。
【図面の簡単な説明】
【００５８】
【図１】本発明の二次元コード付き袋の一実施形態を示す説明図である。
【図２】同二次元コード付き袋の使用方法を示すフローチャートである。
【図３】同二次元コード付き袋の使用方法であって、ＵＲＬが表示された場合のフローチャートである。
【図４】本発明の二次元コード付き袋の他の実施形態を示す部分拡大図である。
【符号の説明】
【００５９】
１、１ａ  二次元コード付き袋
２  袋
３  二次元コード
４  背景部
１０  カメラ付き携帯電話
１１  カメラ
１２  表示パネル
【図１】
2006225095.tif 000003
【図２】
2006225095.tif 000004
【図３】
2006225095.tif 000005
【図４】
2006225095.tif 000006